(57)【特許請求の範囲】
【請求項１】
金属板からなる枠体と該枠体の下面開口を塞ぐ絶縁基板とにより形成された本体内に駆動体を摺動自在に保持し、
該駆動体にレバー部を前記枠体に形成した切欠部から外方へ突出させて設け、前記枠体の側板部の下端を延設して取付脚とし、前記絶縁基板を前記枠体に固定する係止爪を該取付脚の側面に取付脚の延設方向と直交する方向に突出して一体に設け、
前記切欠部を前記枠体の側板部に配し、前記取付脚を前記切欠部の近傍に配置し、
前記係止爪を前記取付脚の前記切欠部側の側面から前記切欠部側に向かって突出させたことを特徴とするスライド型電気部品。
【請求項２】
前記取付脚の延設方向と直交する方向に突出した前記係止爪の上方の側面と下端が開放された前記切欠部の上端とを上下方向に対向させたことを特徴とする請求項１に記載のスライド型電気部品。
【請求項３】
前記取付脚を用いて前記本体を回路基板に取り付けるようにしたことを特徴とする請求項１又は２に記載のスライド型電気部品。
【発明の詳細な説明】
【０００１】
【発明の属する技術分野】
本発明は、枠体から突出したレバー部を操作することにより駆動体をスライドさせて抵抗値変化やスイッチ切換を行うことのできるスライド型電気部品に関する。
【０００２】
【従来の技術】
この種のスライド型電気部品の従来例としてスライド型可変抵抗器を取り挙げ、図１２を用いて説明する。
【０００３】
図１２はかかるスライド型可変抵抗器の分解斜視図であり、金属板からなる枠体２１にその下面開口を塞ぐ絶縁基板２２が枠体２１の側板部の下端に突設された係止爪２３を絶縁基板２２の下面に折り曲げることによって固定され、これら枠体２１と絶縁基板２２とにより形成された本体内に駆動体２４が摺動自在に保持されており、枠体２１の側板部に形成された切欠部２５から駆動体２４のレバー部２４ａが外方に突出し、駆動体２４の下面に固着された摺動子２６が絶縁基板２２の上面に形成された抵抗パターン２７に摺接し、絶縁基板２２の両端には抵抗パターン２７に接続された端子２８が支持されている。
【０００４】
上記の如く構成されたスライド型可変抵抗器は、枠体２１の側板部の下端に係止爪２３と並んで突設された取付脚２９を回路基板（図示省略）の位置決め孔に嵌合させて回路基板上に実装され、レバー部２４ａを矢印Ａ方向に操作することにより、摺動子２６が抵抗パターン２７上を摺動し、これら摺動子２６と抵抗パターン２７との摺接位置に応じた抵抗値変化が端子２８から取り出される。
【０００５】
【発明が解決しようとする課題】
しかしながら、上述した従来例にあっては、枠体２１の側板部の下端に係止爪２３と取付脚２９とが所定間隔を置いて並設されているため、その間隔の分だけ係止爪２３及び取付脚２９の配列方向（矢印Ａ方向）の寸法が大きくなり、小型にすることができないという欠点を有している。
【０００６】
本発明は上述した従来技術の実情に鑑みてなされたもので、その目的は、係止爪と取付脚との間の間隔を不要となし、小型化を図ることの可能なスライド型電気部品を提供することにある。
【０００７】
【課題を解決するための手段】
上記目的を達成するために、本発明のスライド型電気部品は、金属板からなる枠体と該枠体の下面開口を塞ぐ絶縁基板とにより形成された本体内に駆動体を摺動自在に保持し、該駆動体にレバー部を前記枠体に形成した切欠部から外方へ突出させて設け、前記枠体の側板部の下端を延設して取付脚とし、前記絶縁基板を前記枠体に固定する係止爪を該取付脚の側面に取付脚の延設方向と直交する方向に突出して一体に設け、前記切欠部を前記枠体の側板部に配し、前記取付脚を前記切欠部の近傍に配置し、前記係止爪を前記取付脚の前記切欠部側の側面から前記切欠部側に向かって突出させたことを最も主要な特徴としている。
【００１０】
また、本発明のスライド型電気部品は、前記取付脚の延設方向と直交する方向に突出した前記係止爪の上方の側面と下端が開放された前記切欠部の上端とを上下方向に対向させたことを特徴としている。
【００１１】
また、本発明のスライド型電気部品は、前記取付脚を用いて前記本体を回路基板に取り付けるようにしたことを特徴としている。
【００１２】
【発明の実施の形態】
以下、本発明の実施形態をスライド型可変抵抗器を例として図に基づいて説明する。図１〜図１１は本発明の一実施形態を説明するためのものであり、図１は本発明の一実施形態に係わるスライド型可変抵抗器の分解斜視図、図２は該スライド型可変抵抗器の平面図、図３は該スライド型可変抵抗器の左側面図、図４は該スライド型可変抵抗器の底面図、図５は図２の５−５線に沿う断面図、図６は図２の６−６線に沿う断面図、図７は該スライド型可変抵抗器に備わる枠体の右側面図、図８は該枠体の背面図、図９は該枠体の底面図である。
【００１３】
図１〜図６に示すように、本実施形態に係るスライド型可変抵抗器は、金属板からなる枠体１とこの枠体１の下面開口を塞ぐ絶縁基板４とにより形成された本体内に駆動体８が摺動自在に保持され、枠体１の側板部１ｂに形成された切欠部３から駆動体８のレバー部８ａが外方に突出されている。
【００１４】
次に、このスライド型可変抵抗器を構成する各部材の具体的構成について順次説明する。
【００１５】
枠体１は、金属板をフォーミングして下面を開口した四角箱状に形成され、上板部１ａの左右両側に直角に折曲形成された一対の側板部１ｂを有し、これら側板部１ｂにはその下端から下方に突出するよう左右両側で５本の取り付け脚２が延設されている。図４〜図９から明らかなように、右側（レバー８ａが突出する側）の側板部１ｂの１対の取付脚２の間には下端が開放された矩形の切欠部３が設けられ、該１対の取付脚２には、その中間部分に図６に示すように、側面に前記取付脚２の延設方向と直交する方向に突出し、互いに対向して配置される係止爪２ａが各々延設される。そして、前記右側の側板部１ｂに位置する１対の係止爪２ａは切欠部３側に突出し、切欠部３と上下方向に対向した状態で配置される。また、左側（レバー８ａが突出する側の反対側）の側板部１ｂの両側に位置する１対の取付脚２には、図３に示すように、前記と係止爪２ａと同形状の係止爪２ａが各々延設されており、該両側に位置する１対の取付脚２の先端は、その板面方向の外方に直角に折り曲げられる。そして、枠体１の部品単品の状態において、該枠体１に絶縁基板４を載置すると前記係止爪２ａの板面が絶縁基板４の板面と直交した状態に配置され、実使用状態においては図４に示すように係止片２ａの上方の側面が絶縁基板４の底面に沿って移動するよう該係止爪２ａは折り曲げられ、該係止爪２ａと枠体１の両側板部１ｂとの下端とで絶縁基板４を挟持固定する。なお、係止爪２ａと両側板部１ｂとの隙間が、根元部分が基板の板厚より若干小さくなり先端は大きくなるように係止爪２ａはテーパー状に形成されていて、折り曲げた際に絶縁基板４をガタ無く保持することを可能としている。
【００１６】
絶縁基板４は、フェノール樹脂やガラスエポキシ樹脂等の絶縁材料からなり、図１に示すように、片端について２個ずつ、両端で４個の貫通孔４ａが穿設され、上面にはカーボンインク等からなる抵抗パターン５及び集電パターン６が並設されており、該絶縁基板４の両端には金属板からなる４個の端子７が各貫通孔４ａに嵌挿された筒部７ａを鳩目がしめすることによって支持され、この端子７のうちの３個が抵抗パターン５の両端及び集電パターン６の片端と電気的に接続されている。そして、図３，図４に示すように、この絶縁基板４は、その下面に沿って折り曲げられた係止爪２ａにより枠体１の両側板部１ｂの下端に挟持固定され枠体１とで上記本体を形成している。
【００１７】
駆動体８は、絶縁合成樹脂材で形成されてなり下面には一対の摺動片９ａを備えた金属平板からなる摺動子９が固着されている。また、駆動体８の右側には、該駆動体８と一体的にレバー部８ａが突設して設けられ、また、該レバー部８ａには矩形の目隠し板１０が一体的に設けられている。そして、図５，図６に示すように、前記駆動体８は、摺動子９の一対の摺動片９ａを絶縁基板４の上面に形成された抵抗パターン５及び集電パターン６に摺接させ、右側の側板部１ｂに形成された切欠部３からレバー部８ａを外方に突出させた状態で、上述の如く枠体１と絶縁基板４とで形成された上記本体内に摺動自在に保持され、駆動体８の何れの摺動位置においても目隠し板１０が切欠部３を常時覆っている。
【００１８】
本実施形態に係るスライド型可変抵抗器は上記したように構成されており、次に、その動作について説明する。図１０は該スライド型可変抵抗器を回路基板に実装した状態の平面図、図１１は図１０の１１−１１線に沿う断面図である。
【００１９】
このスライド型可変抵抗器は、各種電子機器、例えばビデオカメラ等の小型の携帯用電子機器において使用され、図１０，図１１に示すように、枠体１の右側の側板部１ｂの２本の取付脚２と左側の側板１ｂの曲折されていない１本の取付脚２とを当該機器に備わる回路基板１１の３つの位置決め用切欠１１ａに夫々嵌入させて、正確に位置決めされた状態でこれら取付脚２を左側の側板１ｂの曲折された２本の取付脚２及び４個の端子７と共にリフロー半田法で半田付けすることによって該回路基板１１上に表面実装された状態で用いられる。
【００２０】
そして、回路基板１１から端子７を介して抵抗パターン５の両端に所定電圧を引加した状態で、操作者が手指でレバー部８ａを矢印Ａ方向に操作すると、駆動体８が枠体１の両側板部１ｂにガイドされて上記本体内を摺動し、一対の摺動接点９ａによる抵抗パターン５及び集電パターン６の導通位置が変化して、この導通位置に対応した電圧の出力信号が集電パターン６に接続された端子７から取り出され、このようにして得られた出力信号が回路基板１１に伝達されて、上記電子機器の種々の設定・制御が行われる。
【００２１】
しかして、上記の如く構成されたスライド型可変抵抗器にあっては、上記本体を回路基板１１に位置決め固定するための取付脚２を延設して係止爪２ａとしたので、従来技術のような係止爪２３と取付脚２９との間隔を排除することができ、その分だけ取付脚２及び係止爪２ａの配列方向（矢印Ａ方向）の寸法を小さくして小型化を図ることができる。
【００２２】
また、駆動体８のレバー部８ａを突出させる枠体１の右側の側板部１ｂの切欠部３近傍に取付脚２を配置したので、その取付脚２の係止爪２ａでレバー部８ａを操作する際に絶縁基板１１に加わる加重を受け止めることができるため、この加重による絶縁基板１１の変形や破損を防止し、抵抗パターン５及び集電パターン６と摺動片９ａとの接触安定性を確保することができる。
【００２３】
また、右側の側板部１ｂの取付脚２に係止爪２ａを切欠部３側に突出するように設けたので、上記加重を充分に受け止めることができ、絶縁基板１１の変形や破損を一層確実に防止することができる。
【００２４】
また、係止爪２ａを切欠部３と上下方向に対向させたので、レバー部８ａの移動領域（切欠部３の矢印Ａ方向の幅）の内側に係止爪２ａを配置することができ、その分さらに取付脚２の配列方向（矢印Ａ方向）の寸法を小さくすることができる。
【００２５】
さらにまた、図４に示すように、レバー部８ａの移動領域の内側で各係止爪２ａの曲折角度を鋭角に設定したので、取付脚２の配列方向（矢印Ａ方向）と直交する絶縁基板１１の平面方向（矢印Ｂ方向）における各係止爪２ａの占有スペースを小さくすることができるため、小型化をより一層促進することができるのである。
【００２６】
【発明の効果】
本発明は、以上説明したような形態で実施され、以下に記載されるような効果を奏する。
【００２７】
本発明のスライド型電気部品は、金属板からなる枠体と該枠体の下面開口を塞ぐ絶縁基板とにより形成された本体内に駆動体を摺動自在に保持し、該駆動体にレバー部を前記枠体に形成した切欠部から外方へ突出させて設け、前記枠体の側板部の下端を延設して取付脚とし、前記枠体に絶縁基板を固定する係止爪を該取付脚に一体に設けたので、前記取付脚と前記係止爪との間隔を不要となし、小型化を図ることが可能なる。
【００２８】
また、前記切欠部を前記枠体の側板部に配し、前記取付脚を前記切欠部の近傍に配置したので、前記レバー部を操作する際に前記絶縁基板に加わる加重に起因する前記絶縁基板の変形や破損を防止することができる。
【００２９】
また、前記係止爪を前記取付脚の前記切欠部側に突出させたので、前記絶縁基板の変形や破損を一層確実に防止することができる。
【００３０】
また、前記係止爪と前記切欠部とを上下方向に対向させたので、前記レバー部の移動領域の内側に前記係止爪を配置させて、その分さらに小型化を図ることができる。
【００３１】
また、前記取付脚を用いて前記本体を回路基板に取り付けるようにしたので、該回路基板の所定位置に前記本体を簡単かつ精度良く位置決め固定することができる。
【図面の簡単な説明】
【図１】本発明の一実施形態に係わるスライド型可変抵抗器の分解斜視図である。
【図２】該スライド型可変抵抗器の平面図である。
【図３】該スライド型可変抵抗器の左側面図である。
【図４】該スライド型可変抵抗器の底面図である。
【図５】図２の５−５線に沿う断面図である。
【図６】図２の６−６線に沿う断面図である。
【図７】該スライド型可変抵抗器に備わる枠体の右側面図である。
【図８】該枠体の背面図である。
【図９】該枠体の底面図である。
【図１０】該スライド型可変抵抗器を回路基板に実装した状態の平面図である。
【図１１】図１０の１１−１１線に沿う断面図である。
【図１２】従来のスライド型可変抵抗器の分解斜視図である。
【符号の説明】
１  枠体
１ａ  上板部
１ｂ  側板部
２  取付脚
２ａ  係止爪
３  切欠部
４  絶縁基板
４ａ  貫通孔
５  抵抗パターン
６  集電パターン
７  端子
７ａ  筒部
８  駆動体
８ａ  レバー部
９  摺動子
９ａ  摺動片
１０  目隠し板
１１  回路基板
１１ａ  位置決め用切欠
【図１】
0004084950.tif 000002
【図２】
0004084950.tif 000003
【図３】
0004084950.tif 000004
【図４】
0004084950.tif 000005
【図５】
0004084950.tif 000006
【図６】
0004084950.tif 000007
【図７】
0004084950.tif 000008
【図８】
0004084950.tif 000009
【図９】
0004084950.tif 000010
【図１０】
0004084950.tif 000011
【図１１】
0004084950.tif 000012
【図１２】
0004084950.tif 000013